(57)【要約】【課題】香料の放出を精密に制御出来る香料放出ヘッドを提供することである。【解決手段】この発明に従った香料放出ヘッド１０は：供給された液体香料が気化及び滴化の少なくとも一方に微細化され、微細化された香料を外部空間へ放出する香料放出口１８Ａを有している香料放出ユニット１８と；そして、香料放出ユニットの香料放出口に設けられ、気化された香料を所望に応じて吸引し香料放出口からの気化された香料の放出を無くす気化香料吸引ユニット２０と；を備えている。【選択図】    図１
2013158600.tif 000002
【特許請求の範囲】
【請求項１】
供給された液体香料が気化及び滴化の少なくとも一方に微細化され、微細化された香料を外部空間へ放出する香料放出口を有している香料放出ユニットと；そして、
香料放出ユニットの香料放出口に設けられ、気化された香料を所望に応じて吸引し香料放出口からの気化された香料の放出を無くす気化香料吸引ユニットと；
を備えている香料放出ヘッド。
【請求項２】
気化香料吸引ユニットが、香料放出口の内周面に配置され、気化された香料を所望に応じて吸引し香料放出口からの気化された香料の放出を阻止させる少なくとも１つの気化香料吸引孔を含む、請求項１に記載の香料放出ヘッド。
【請求項３】
気化香料吸引ユニットの気化香料吸引孔が香料放出口の内周面に環状に複数配置されている、請求項２に記載の香料放出ヘッド。
【請求項４】
気化香料吸引ユニットが香料放出口の内周面に環状に配置された環状溝を含んでいて、この環状溝の底面に前記気化香料吸引孔が開口している、請求項２又は３に記載の香料放出ヘッド。
【請求項５】
気化香料吸引ユニットが、気化香料吸引孔の下流に気化香料吸引孔から吸引される気化された香料の吸引量を制御する流量制御弁を含んでいる、請求項１乃至４のいずれか１項に記載の香料放出ヘッド。
【請求項６】
香料放出ユニットが、香料放出口に対応して設けられ香料放出口へと供給された液体香料の微細化を促進させる液体香料微細化促進装置を含んでいる、請求項１乃至５のいずれか１項に記載の香料放出ヘッド。
【請求項７】
液体燃料微細化促進装置が、香料放出口内に位置している液体香料に対し運動エネルギーを与えて液体香料から香料放出口を介して外部空間へと通過する運動エネルギーを有する滴化された香料を生じさせる運動エネルギー付与装置を含む、請求項６に記載の香料放出ヘッド。
【請求項８】
運動エネルギー付与装置が、香料放出口内に位置している液体香料に対し圧縮弾性波を照射することにより運動エネルギーを与えて液体香料から香料放出口を介して外部空間へと通過する運動エネルギーを有する滴化された香料を生じさせる圧縮弾性波照射装置を含む、請求項７に記載の香料放出ヘッド。
【請求項９】
圧縮弾性波照射装置は、香料放出口内に位置している液体香料の液面に向かい圧縮弾性波を収束させる圧縮弾性波収束器を有し、香料放出口内に位置している液体香料の液面に運動エネルギーを収束して与え液体香料の液面から香料放出口を介して外部空間へと通過する運動エネルギーを有する滴化された香料を生じさせる、請求項８に記載の香料放出ヘッド。
【請求項１０】
液体燃料微細化促進装置が、香料放出口内に位置している液体香料を加熱することにより液体香料の気化及び滴化の少なくとも一方による微細化を促進させ気化及び滴化の少なくとも一方に微細化された香料を香料放出口を介して外部空間へと通過させる液体香料加熱装置を含む、請求項６に記載の香料放出ヘッド。
【発明の詳細な説明】
【技術分野】
【０００１】
この発明は、香料を放出する香料放出ヘッドに関係している。
【背景技術】
【０００２】
種々の状況に応じて液体香料を気化あるいは霧化して香りを人に提供する香料放出装置はディフューザーとして良く知られている。香料放出装置は、保持した液体香料を液滴化或いは気化し、最終的には香料の蒸気を人に提供する。一旦液滴化された香料は、液滴化された香料の飽和蒸気圧以下の空気の中にあれば自然に気化し、加熱することにより気化を早めることが出来、人に匂いを提供する。
【０００３】
このような香料放出装置は、例えば、画像や音を伴わせて人に匂いをかがせる装置において使用されている。
【０００４】
所望の匂いは１種類の香料のみにより得ることが出来ることもあるが、近年は複数種類の液体香料を複数の容器に入れて保持し、指示に従って所定の複数の液体香料を気化或いは霧化させ、最終的には複数の気化或いは霧化された香料を所定の比率で混合させることにより、複数の容器に保持されている複数の液体香料の種類よりも多くの種類の匂いを作り出す（調香）ことが出来る香料放出装置が存在している。
【０００５】
映画等の動画に対し、場面に応じた匂いを提供する種々の試みがなされている。このような試みは、例えば月刊ディスプレイ２０１０年９月号（第１６巻９号・通巻１８４号）第７２頁〜第７９頁（ＩＳＳＮ  １３４１−３９６１）（非特許文献１）に記載されている。
【０００６】
また、所望の時に複数種類の香料を予め設定されている量で混合して所望の匂いを作成し提供する香料放出装置（匂い発生手段）が、例えば特開２０１０−２５７１２６号公報（特許文献１）から知られている。
【０００７】
液体香料を積極的に気化させる方法としては、液体香料の入っている容器に空気を送り込んで液体香料を蒸発させる方法や、容器に入っている液体香料を超音波などで振動させることにより液滴化させるとともに容器から大気中に放出させた後に自然に気化させるか又は加熱して気化させる方法が知られている。
【先行技術文献】
【特許文献】
【０００８】
【特許文献１】特開２０１０−２５７１２６号公報
【非特許文献】
【０００９】
【非特許文献１】月刊ディスプレイ２０１０年９月号（第１６巻９号・通巻１８４号）第７２頁〜第７９頁（ＩＳＳＮ  １３４１−３９６１）
【発明の概要】
【発明が解決しようとする課題】
【００１０】
例えば前述した動画や、劇やバレエ等の動的パフォーマンスにおいて場面に応じた匂いを提供する場合、場面の変化に応じて複数の液体香料の夫々の所望の量を瞬時に霧化或いは気化させて観客に提供する必要がある。しかしながら、液体香料の入っている容器に空気を送り込んで液体香料を蒸発させる前述の方法では、瞬時に複数の液体香料の夫々の所望の量を霧化或いは気化させることが困難である。即ち瞬時に所望の調香による所望の匂い、を得ることが困難である。容器に入っている液体香料を超音波などで振動させることにより液滴化させて放出させその後に気化させる前述の方法では、瞬時に複数の液体香料の夫々の所望の量を霧化或いは気化させることが出来るが、容器に入っている液体香料を超音波などで振動させることにより液滴化させていない間にも液体香料から僅かではあるが自然に霧化或いは気化している香料があり、この香料はわずかではあるが容器から放出されることで所望の調香による所望の匂いが得られなくなることがある。
【００１１】
この発明は上記事情の下でなされ、この発明の目的は、調香による所望の香りを瞬時に正確に提供することを可能にする、香料放出ヘッドを提供することである。
【課題を解決するための手段】
【００１２】
上述したこの発明の目的を達成する為に、この発明に従った香料放出ヘッドは：
供給された液体香料が気化及び滴化の少なくとも一方に微細化され、微細化された香料を外部空間へ放出する香料放出口を有している香料放出ユニットと；そして、
香料放出ユニットの香料放出口に設けられ、気化された香料を所望に応じて吸引し香料放出口からの気化された香料の放出を無くす気化香料吸引ユニットと；
を備えている。
【発明の効果】
【００１３】
このようなこの発明に従った香料放出ヘッドでは、香料放出ユニットの香料放出口に気化香料吸引ユニットが設けられていて、気化香料吸引ユニットが香料放出口から放出される気化香料を所望に応じて吸引し意図しないタイミングで香料放出口から放出されることを確実に防止することが出来るので、例えば前述した動画や動的パフォーマンスにおける場面の早い変化に対応して複数種類の香料の放出の夫々の量の正確な素早い切り換え、即ち所望の調香による所望の匂いの正確な素早い切換えを確実にする。
【図面の簡単な説明】
【００１４】
【図１】図１は、この発明の基本的な一実施形態に従った香料放出ヘッドの複数を組み合わせた香料放出ヘッド組立体の一部分の概略的な平面図である。
【図２】図２は、図１の線ＩＩ−ＩＩに沿ったこの発明の基本的な一実施形態に従った香料放出ヘッドの１つの概略的な縦断面図である。
【図３】図３は、図２の香料放出ヘッドの１つの香料放出口に対応して設けられた液体香料気化促進装置の一例としての圧縮弾性波照射装置及びその近傍の拡大された概略的な縦断面図である。
【図４】図４は、図１乃至図３中に図示されていたこの発明の基本的な一つの実施形態に従った香料放出ヘッドの第１変形例の複数を組み合わせた香料放出ヘッド組立体の一部分の概略的な平面図である。
【図５】図５は、図１乃至図３中に図示されていたこの発明の基本的な一つの実施形態に従った香料放出ヘッドの第２変形例の複数を組み合わせた香料放出ヘッド組立体の一部分の概略的な平面図である。
【発明を実施するための形態】
【００１５】
［一実施形態］
最初に、図１及び図２を参照しながら、この発明の基本的な一実施形態に従った香料放出ヘッド１０について説明する。図１中に示されている如く、香料放出ヘッド１０は複数が組み合わされて香料放出ヘッド組立体１２を構成することが出来る。
【００１６】
夫々の香料放出ヘッド１０は、夫々が異なっている液体香料１４Ｌを格納する液体香料容器１６と、液体香料容器１６に接続され液体香料容器１６から供給された液体香料１４Ｌが気化及び滴化の少なくとも一方に微細化され微細化された香料を外部空間に放出する香料放出口１８Ａを有している香料放出ユニット１８と、を備えている。
【００１７】
以下の説明では、気化された香料を気化香料１４Ｖとして引用し、滴化された香料を滴化香料１４Ｄとして引用する。
【００１８】
夫々の香料放出ヘッド１０はさらに、香料放出ユニット１８の香料放出口１８Ａに設けられ、気化香料１４Ｖを所望に応じて吸引し香料放出口１８Ａからの気化香料１４Ｖの放出を無くす気化香料吸引ユニット２０を備えている。
【００１９】
詳細には、この実施形態において香料放出ユニット１８は、液体香料容器１６と一体に相互に同じ材料で形成された本体１８Ｂを備えていて、本体１８Ｂ中には液体香料容器１６の液体香料収容空間１６Ａに連通された基端から基端から離れた所定の位置に開口され香料放出口１８Ａを構成している末端まで延出している液体香料供給路１８Ｃが形成されている。液体香料供給路１８Ｃは、液体香料容器１６の液体香料収容空間１６Ａ中の液体香料１４Ｌの量とは無関係に前記基端から前記末端の香料放出口１８Ａまで液体香料１４Ｌを毛細管現象により導くよう構成されていることが好ましく、例えば直径が０．１ｍｍ以下である。
【００２０】
液体香料容器１６の液体香料収容空間１６Ａから液体香料供給路１８Ｃを介して香料放出口１８Ａまで供給された液体香料１４Ｌは、香料放出口１８Ａにおいて気化し蒸発する。
【００２１】
詳細には、この実施形態において気化香料吸引ユニット２０は、吸引ポンプ２０Ａと、吸引ポンプ２０Ａの入口から延出し香料放出ユニット１８の香料放出口１８Ａの内周面に開口した少なくとも１つの気化香料吸引孔ＳＨを有している気化香料吸引路２０Ｂを含む。
【００２２】
吸引ポンプ２０Ａには、吸引ポンプ２０Ａの作動を制御する為の制御装置２２が接続されている。
【００２３】
好ましくは、気化香料吸引ユニット２０は、香料放出ユニット１８の香料放出口１８Ａの内周面に環状に配置された環状溝２０Ｃを含んでいて、環状溝２０Ｃの底面に気化香料吸引ユニット２０の気化香料吸引路２０Ｂの前述した少なくとも１つの気化香料吸引孔ＳＨが開口している。
【００２４】
香料放出ユニット１８の香料放出口１８Ａにおいて液体香料１４Ｌから気化し蒸発した気化香料１４Ｖは、制御装置２２により吸引ポンプ２０Ａを作動させることにより気化香料吸引孔ＳＨから気化香料吸引路２０Ｂを介し吸引ポンプ２０Ａの入口に吸引され、その後に吸引ポンプ２０Ａの出口から排出される。吸引ポンプ２０Ａの出口には吸引ポンプ２０Ａが吸引した気化香料１４Ｖが外部空間に拡散するのを阻止する為のフィルター２０Ｄを取り付けることが出来る。
【００２５】
気化香料吸引孔ＳＨの形状は、吸引ポンプ２０Ａを作動中に香料放出ユニット１８の香料放出口１８Ａにおいて液体香料１４Ｌから気化し蒸発した気化香料１４Ｖの全てを吸引することが出来るよう構成されている。即ち、制御装置２２により吸引ポンプ２０Ａを作動させることにより、香料放出ユニット１８の香料放出口１８Ａにおいて液体香料１４Ｌから気化し蒸発した気化香料１４Ｖが香料放出口１８Ａから外部空間に放出されることを阻止することが出来る。
【００２６】
また、制御装置２２により吸引ポンプ２０Ａの作動を停止させることにより、香料放出ユニット１８の香料放出口１８Ａにおいて液体香料１４Ｌから気化し蒸発した気化香料１４Ｖが香料放出口１８Ａから外部空間に放出されることを許容することが出来る。
【００２７】
制御装置２２は、制御装置２２による吸引ポンプ２０Ａの作動の制御を、前述した動画や動的パフォーマンスにおいて所定の所望の匂いが必要な場面に対応して、香料放出ヘッド１０、又は香料放出ヘッド１０が複数組み合わされた香料放出ヘッド組立体１２、から放出される気化香料１４Ｖにより上記所定の所望の匂いを作成することが出来るよう、前述した動画や動的パフォーマンスにおける場面に自動的に連動するよう構成されていることが出来る。
【００２８】
この実施形態において香料放出ユニット１８は、図２中に図示されている如く、香料放出口１８Ａに対応して設けられ液体香料容器１６の液体香料収容空間１６Ａから液体香料供給路１８Ｃを介して香料放出口１８Ａまで供給された液体香料１４Ｌの気化及び滴化の少なくとも一方への微細化を促進させる液体香料微細化促進装置１８Ｄを含んでいることが出来る。
【００２９】
液体香料微細化促進装置１８Ｄは、前述した動画や動的パフォーマンスにおける場面に対応して所定の所望の匂いを、香料放出ヘッド１０、又は香料放出ヘッド１０が複数組み合わされた香料放出ヘッド組立体１２、から放出される気化香料１４Ｖにより作成することが出来るよう、前述した動画や動的パフォーマンスにおける場面に自動的に連動するよう構成されていることが出来る。この為に、液体香料微細化促進装置１８Ｄは、制御装置２２に接続されていて制御装置２２により動作を制御されることが出来る。
【００３０】
液体香料微細化促進装置１８Ｄは、気化香料吸引ユニット２０の吸引ポンプ２０Ａの作動中に作動されても、気化香料吸引ユニット２０の少なくとも１つの気化香料吸引孔ＳＨを介して香料放出ユニット１８の香料放出口１８Ａから吸引ポンプ２０Ａに吸引される気化香料１４Ｖよりも多量の気化香料１４Ｖを香料放出口１８Ａにごく短時間に発生させる、及び気化香料吸引ユニット２０の吸引ポンプ２０Ａにより少なくとも１つの気化香料吸引孔ＳＨを介し香料放出口１８Ａに発生される気流の流れを突破することが出来る運動量を有した気化直前の微小な液体香料の液滴（滴化香料）１４Ｄをごく短時間に多数発生させる、ことの少なくとも一方を行うことが出来る。
【００３１】
この場合、前述した動画や動的パフォーマンスが開始されてから終了するまでの間に連続して気化香料吸引ユニット２０の吸引ポンプ２０Ａを作動させておき、前述した動画や動的パフォーマンスにおいて所定の所望の匂いが必要な場面においてのみ、香料放出ヘッド１０、又は香料放出ヘッド１０が複数組み合わされた香料放出ヘッド組立体１２、の香料放出ユニット１８の香料放出口１８Ａから放出される前述した多量の気化香料１４Ｖ及び滴化香料１４Ｄの少なくとも一方により所定の所望の匂いを作成することが出来るよう、液体香料微細化促進装置１８Ｄを作動させるよう、制御装置２２により吸引ポンプ２０Ａ及び液体香料微細化促進装置１８Ｄの夫々の動作を制御させることが出来る。なお滴化香料１４Ｄは外部空間において通常直ちに気化されて気化香料１４Ｖになるので、液化香料１４Ｌから滴化香料１４Ｄを作成することも液体香料１４Ｌの気化を促進させるということになる。
【００３２】
液体香料微細化促進装置１８Ｄが作動していない間にも、香料放出ヘッド１０の香料放出ユニット１８の香料放出口１８Ａにおいて液体香料１４Ｌから気化香料１４Ｖが自然に発生されるが、このように自然に発生された気化香料１４Ｖは、気化香料吸引ユニット２０の少なくとも１つ香料吸引孔ＳＨを介して気化香料吸引ユニット２０の吸引ポンプ２０Ａにより香料放出口１８Ａから吸引されるので、香料放出口１８Ａを介して外部空間に放出されることが阻止される。
【００３３】
香料放出ユニット１８が液体香料微細化促進装置１８Ｄを含んでいる場合は、香料放出ユニット１８が液体香料微細化促進装置１８Ｄを含んでおらず、気化香料吸引ユニット２０の吸引ポンプ２０Ａの作動の制御のみで、香料放出ヘッド１０の香料放出ユニット１８の香料放出口１８Ａからの気化香料１４Ｖの放出を制御する前述した場合に比べると、香料放出口１８Ａからの気化香料１４Ｖの放出量や放出時間を遥かに精密に制御することが可能になっている。
【００３４】
液体香料微細化促進装置１８Ｄは、例えば香料放出口１８Ａ内に位置している液体香料１４Ｌに対し運動エネルギーを与えて、液体香料１４Ｌから香料放出口１８Ａを介して外部空間へと通過する運動エネルギーを有する微細化された滴化香料１４Ｄを生じさせる運動エネルギー付与装置を含むことが出来る。
【００３５】
このような運動エネルギー付与装置は、例えば香料放出口１８Ａ内に位置している液体香料１４Ｌに向かい圧縮弾性波を照射し前述した如く非常に短時間で多量に微小に滴化された香料（即ち、滴化香料１４Ｄ）を発生させるよう構成された圧縮弾性波照射装置であることが出来る。
【００３６】
液体香料微細化促進装置１８Ｄは、香料放出口１８Ａ内に位置している液体香料１４Ｌを非常に短時間で加熱し前述した如く非常に短時間で多量に気化及び滴化の少なくとも一方への微細化を促進するよう構成された液体香料加熱装置であることが出来る。
【００３７】
このような液体香料加熱装置は、例えば香料放出ユニット１８の香料放出口１８Ａ内にヒータを設置し、このヒータで香料放出口１８Ａ内の液体香料１４Ｌを加熱して気化香料１４Ｖを発生させたり、又はこのヒータで香料放出口１８Ａ内の液体香料１４Ｌを加熱して泡を発生させることに伴い香料放出口１８Ａ内の液体香料１４Ｌに負荷される衝撃力で香料放出口１８Ａ内の液体香料１４Ｌから微細化された液滴、即ち滴化香料１４Ｄ、を生じさせたりすることが出来る。
【００３８】
前述した如き圧縮弾性波照射装置は、例えば香料放出ユニット１８の液体香料供給路１８Ｃの延出端において香料放出口１８Ａに対面して配置された公知の圧電素子や磁歪素子、又は、図３中に示されている如く、香料放出ユニット１８の外表面において香料放出口１８Ａに対向した位置にいわゆる超音波レンズ２４Ａを介して配置された超音波発生素子２４Ｂであることが出来る。前述した圧電素子，磁歪素子，そして超音波発生素子２４Ｂは制御装置２２に接続されて制御装置２２により動作を制御されることが出来る。
【００３９】
超音波発生素子２４Ｂの一例は、超音波レンズ２４Ａの外表面に沿い付着された金属膜、例えばステンレス薄板、上にＡＤ（エアロゾルデポジション）法によりＰＮＮ−ＰＺＴセラミックスの薄膜を形成することにより提供することが出来る。このような一例の形成方法は例えば（ＮＥＣ  ＴＯＫＩＮ  Ｔｅｃｈｎｉｃａｌ  Ｒｅｖｉｅｗ  Ｖｏｌ．３５  （２００８））により知ることが出来る。この様な超音波発生素子２４Ｂは、香料放出ユニット１８の液体香料供給路１８Ｃにおいて香料放出口１８Ａに向かい例えば５０メガヘルツの超音波を照射させることが出来る。
【００４０】
液体香料微細化促進装置１８Ｄの前述した運動エネルギー付与装置により、香料放出ユニット１８の液体香料供給路１８Ｃの香料放出口１８Ａにおいて運動エネルギーを付与されることにより液体香料１４Ｌから微小に滴化された滴化香料１４Ｄは、香料放出口１８Ａの気化香料吸引ユニット２０が動作していても、それが有している比較的大きな運動エネルギーのお蔭で気化香料吸引ユニット２０の気化香料吸引孔ＳＨを介して気化香料吸引路２０Ｂ中に吸引されることがなく香料放出口１８Ａを通過して外部空間に放出され外部空間において気化し気化香料１４Ｖとなり匂いを発生させる。
【００４１】
同時に、液体香料微細化促進装置１８Ｄの前述した運動エネルギー付与装置により、香料放出ユニット１８の液体香料供給路１８Ｃの香料放出口１８Ａにおいて運動エネルギーを付与されることにより液体香料１４Ｌから気化された気化香料１４Ｖは、大きな運動エネルギーを有していないので、香料放出口１８Ａの気化香料吸引ユニット２０が動作している間には気化香料吸引ユニット２０の気化香料吸引孔ＳＨを介して気化香料吸引路２０Ｂ中に吸引される。その結果、香料放出口１８Ａを通過して外部空間に放出されることがなく、外部空間において匂いを発生させることがない。
【００４２】
従って、液体香料微細化促進装置１８Ｄの前述した運動エネルギー付与装置により、香料放出ユニット１８の液体香料供給路１８Ｃの香料放出口１８Ａにおいて液体香料１４Ｌに運動エネルギーが付与された場合には、香料放出口１８Ａの気化香料吸引ユニット２０が動作している間には、液体香料１４Ｌから微小に滴化された滴化香料１４Ｄのみが香料放出口１８Ａを通過して外部空間に放出され外部空間において気化し気化香料１４Ｖとなり匂いを発生させ、液体香料１４Ｌから気化された気化香料１４Ｖによる匂いの影響を受けることがない。即ち、より高精度な調香を可能にしている。
【００４３】
さらに、香料放出ユニット１８の香料放出口１８Ａの出口近傍に加熱手段、例えば加熱された基板、を配置しておき、香料放出口１８Ａを通過して外部空間に放出された滴化香料１４Ｄが加熱手段にぶつかるようにしておけば、滴化香料１４Ｄをより早く確実に気化させることが出来る
［一実施形態の第１変形例］
図４には、図１乃至図３を参照しながら前述したこの発明の基本的な一実施形態に従った香料放出ヘッド１０及びこの香料放出ヘッド１０の複数が組み合わされて構成された香料放出ヘッド組立体１２の第１変形例が概略的に示されている。
【００４４】
図４中に示されている第１変形例の香料放出ヘッド１０´、ひいてはその複数が組み合わされて構成された第１変形例の香料放出ヘッド組立体１２´、の構成の大部分は、図１乃至図３を参照しながら前述したこの発明の基本的な一実施形態に従った香料放出ヘッド１０及び香料放出ヘッド組立体１２の構成の大部分と同じである。従って、図４の、第１変形例に従った香料放出ヘッド１０´及び香料放出ヘッド組立体１２´において図１乃至図３を参照しながら前述したこの発明の基本的な一実施形態に従った香料放出ヘッド１０及び香料放出ヘッド組立体１２の構成要素と同じ構成要素には、図１乃至図３を参照しながら前述したこの発明の基本的な一実施形態に従った香料放出ヘッド１０及び香料放出ヘッド組立体１２の対応している構成要素を指摘していたのと同じ参照号を付して、詳細な説明は省略する。
【００４５】
図４の第１変形例の香料放出ヘッド１０´及び香料放出ヘッド組立体１２´が、図１乃至図３を参照しながら前述したこの発明の一実施形態に従った香料放出ヘッド１０及び香料放出ヘッド組立体１２と異なっているのは、複数の相互に同じ構成の香料放出ヘッド１０´の夫々において気化香料吸引ユニット２０´の気化香料吸引路２０´Ｂが香料放出ユニット１８の香料放出口１８Ａの内周面を取り囲むよう分岐していて、香料放出ユニット１８の香料放出口１８Ａの内周面に環状に複数配置された複数の気化香料吸引孔ＳＨを含むことである。
【００４６】
この変形例では、複数の気化香料吸引孔ＳＨは、香料放出ユニット１８の香料放出口１８Ａの内周面に環状に配置された環状溝２０Ｃの底面に等間隔で開口している。複数の気化香料吸引孔ＳＨは、前述した如く分岐されている気化香料吸引路２０´Ｂを介して１つの吸引ポンプ２０Ａの入口に接続されている。
【００４７】
このような構成であれば、夫々の香料放出ヘッド１０´の香料放出ユニット１８の香料放出口１８Ａにおける気化香料１４Ｖの放出の遮断をより早くより確実に行うことが出来る。
【００４８】
［一実施形態の第２変形例］
図５には、図１乃至図３を参照しながら前述したこの発明の基本的な一実施形態に従った香料放出ヘッド１０及びこの香料放出ヘッド１０の複数が組み合わされて構成された香料放出ヘッド組立体１２の第２変形例が概略的に示されている。
【００４９】
図５中に示されている第２変形例の香料放出ヘッド１０´´、ひいてはその複数が組み合わされて構成された第２変形例の香料放出ヘッド組立体１２´´、の構成の大部分は、図１乃至図３を参照しながら前述したこの発明の基本的な一実施形態に従った香料放出ヘッド１０及び香料放出ヘッド組立体１２の構成の大部分と同じである。従って、図５の、第２変形例に従った香料放出ヘッド１０´´及び香料放出ヘッド組立体１２´´において図１乃至図３を参照しながら前述したこの発明の基本的な一実施形態に従った香料放出ヘッド１０及び香料放出ヘッド組立体１２の構成要素と同じ構成要素には、図１乃至図３を参照しながら前述したこの発明の基本的な一実施形態に従った香料放出ヘッド１０及び香料放出ヘッド組立体１２の対応している構成要素を指摘していたのと同じ参照号を付して、詳細な説明は省略する。
【００５０】
図５の第１変形例の香料放出ヘッド１０´´及び香料放出ヘッド組立体１２´´が、図１乃至図３を参照しながら前述したこの発明の一実施形態に従った香料放出ヘッド１０及び香料放出ヘッド組立体１２と異なっているのは、図４を参照しながら前述した第１変形例の場合と同様に、複数の相互に同じ構成の香料放出ヘッド１０´´の夫々において気化香料吸引ユニット２０´´の気化香料吸引路２０´Ｂが香料放出ユニット１８の香料放出口１８Ａの内周面を取り囲むよう分岐していて、香料放出ユニット１８の香料放出口１８Ａの内周面に環状に複数配置された複数の気化香料吸引孔ＳＨを含むことである。
【００５１】
この変形例でも、複数の気化香料吸引孔ＳＨは、香料放出ユニット１８の香料放出口１８Ａの内周面に環状に配置された環状溝２０Ｃの底面に等間隔で開口している。複数の気化香料吸引孔ＳＨは、前述した如く分岐されている気化香料吸引路２０´Ｂを介して１つの吸引ポンプ２０Ａの入口に接続されている。
【００５２】
図５中に示されている第２変形例ではさらに、香料放出ヘッド１０´´の気化香料吸引ユニット２０´´の気化香料吸引路２０´Ｂにおいて複数の気化香料吸引孔ＳＨの下流に、より詳細には複数の気化香料吸引孔ＳＨと吸引ポンプ２０Ａとの間で吸引ポンプ２０Ａの入口近傍に、流量制御弁ＳＶを含んでいることである。流量制御弁ＳＶは制御装置２２に接続されていて、制御装置２２により動作が制御される。
【００５３】
流量制御弁ＳＶは、気化香料吸引孔ＳＨから外部空間への気化香料１４Ｖの吸引量を制御する。流量制御弁ＳＶは、開閉弁であることが出来。この場合には、香料放出ヘッド１０´´の夫々において香料放出ユニット１８の香料放出口１８Ａから外部空間への気化香料１４Ｖの放出停止及び放出の切換えを、吸引ポンプ２０Ａの作動又は作動停止に代わり、より素早く正確に行うことを可能にしている。さらに、複数の香料放出ヘッド１０´´の夫々の気化香料吸引路２０´Ｂに流量制御弁ＳＶを設け複数の香料放出ヘッド１０´´の夫々の気化香料吸引路２０´Ｂを夫々の流量制御弁ＳＶを介して１つの吸引ポンプ２０Ａに接続することで、複数の香料放出ヘッド１０´´の夫々の気化香料吸引路２０´Ｂに吸引ポンプ２０Ａを接続した前述の場合と同様の機能を果たすことが可能になる。
【００５４】
［変形例］
なお、図１乃至図３を参照しながら前述したこの発明の基本的な一実施形態に従った香料放出ヘッド１０，図４を参照しながら前述したこの発明の基本的な一実施形態の第１変形例に従った香料放出ヘッド１０´，そして図５を参照しながら前述したこの発明の基本的な一実施形態の第２変形例に従った香料放出ヘッド１０´´の夫々において、吸引ポンプ２０Ａを送風ポンプとしても使用することが出来るよう構成することが出来る。吸引ポンプ２０Ａのこのような機能切換えは、制御装置２２を介して行うことが出来る。
【００５５】
この場合には、香料放出口２０Ａから外部空間へと気化香料１４Ｖ及び滴化香料１４Ｄの少なくとも一方を放出させる時に、吸引ポンプ２０Ａを送風ポンプとして使用することにより、香料放出口２０Ａから外部空間へと放出される気化香料１４Ｖ及び滴化香料１４Ｄをより素早く積極的に遠くまで拡散させることを可能にする。
【符号の説明】
【００５６】
１０，１０´，１０´´…香料放出ヘッド、１２，１２´，１２´´…香料放出ヘッド組立体、１４Ｄ…滴化香料、１４Ｌ…液体香料、１４Ｖ…気化香料、１６…液体香料容器、１６Ａ…液体香料収容空間、１８…香料放出ユニット、１８Ａ…香料放出口、１８Ｂ…本体、１８Ｃ…液体香料供給路、１８Ｄ…液体香料微細化促進装置、２０，２０´，２０´´…気化香料吸引ユニット、２０Ａ…吸引ポンプ、２０Ｂ，２０´Ｂ…気化香料吸引路、２０Ｃ…環状溝、ＳＨ…気化香料吸引孔、２０Ｄ…フィルター、２２…制御装置、２４Ａ…超音波レンズ、２４Ｂ…超音波発生装置、ＳＶ…開閉弁。
【図１】
2013158600.tif 000003
【図２】
2013158600.tif 000004
【図３】
2013158600.tif 000005
【図４】
2013158600.tif 000006
【図５】
2013158600.tif 000007